(57)【要約】  一対のビード、タイヤのサイドウォール領域とタイヤのトレッド領域との対を形成する一方のビードから他方のビードへ延在する少なくとも１つのカーカスプライ、およびタイヤのサイドウォール領域内の編み生地の少なくとも１つの層を含むタイヤ。【選択図】  図１
2014524378.tif 000002
【特許請求の範囲】
【請求項１】
タイヤであって、前記タイヤは、
一対のビードと、
前記タイヤのサイドウォール領域と前記タイヤのトレッド領域の対を形成する一方のビードから他のビードへ延在する少なくとも１つのカーカスプライと、
前記タイヤの前記サイドウォール領域内の編み生地の少なくとも１つの層と、
を含み、
前記編み生地は、縦糸および横糸方向を有し、縦糸の第１の組および縦糸の第２の組を含み、
縦糸の前記第１の組は繰り返しパターンを有し、前記繰り返しパターンは、
第１のターニングステッチと、
第１の方向の少なくとも１つのコース毎に少なくとも１つのウェールを対角線に横断するステッチシフトと、
第２のターニングステッチと、
前記第１の方向と反対の第２の方向に少なくとも１つのコース毎に少なくとも１つのウェールを対角線に横断するステッチシフトとを含んでおり、
縦糸の前記第２の組は繰り返しパターンを有し、この繰り返しパターンは、
第１のターニングステッチと、
前記第２の方向の少なくとも１つのコース毎に少なくとも１つのウェールを対角線に横断するステッチシフトと、
第２のターニングステッチと、
前記第１の方向の少なくとも１つのコース毎に少なくとも１つのウェールを対角線に横断するステッチシフトと、を含んでおり、
縦糸の前記第１の組の前記繰り返しパターンの前記ステッチシフトは、縦糸の前記第２の組の前記繰り返しパターンの前記ステッチシフトの鏡像であるタイヤ。 
【請求項２】
縦糸の前記第１の組の前記繰り返しパターンは、
前記第１のターニングステッチおよびステッチシフトの後の前記第１の方向のステッチおよび少なくとも１つのコース毎に少なくとも１つのウェールを対角線に横断するステッチシフトの少なくとも１つの組と、
前記第２のターニングステッチおよび前記第１の方向と反対の第２の方向に少なくとも１つのコース毎に少なくとも１つのウェールを対角線に横断するステッチシフトの後の前記第２の方向のステッチおよび少なくとも１つのコース毎に少なくとも１つのウェールを対角線に横断するステッチシフトの少なくとも１つの組とをさらに含み、
縦糸の前記第２の組の繰り返しパターンは、
前記第１のターニングステッチおよびステッチシフトの後の前記第２の方向のステッチおよび少なくとも１つのコース毎に少なくとも１つのウェールを対角線に横断するステッチシフトの少なくとも１つの組と、
前記第２のターニングステッチおよびステッチシフトの後の前記第１の方向のステッチおよび少なくとも１つのコース毎に少なくとも１つのウェールを対角線に横断するステッチシフトの少なくとも１つの組と、をさらに含む請求項１に記載のタイヤ。
【請求項３】
前記編み生地は、アトラス生地である請求項１に記載のタイヤ。
【請求項４】
前記アトラス生地は、逆アトラスタイプの生地である請求項３に記載のタイヤ。
【請求項５】
縦糸の前記第１の組は繰り返しパターンを有し、この繰り返しパターンは、
第１のターニングステッチと、
第１の方向の２つのウェールと１つのコースを対角線に横断するステッチシフトと、
第２のターニングステッチと、
前記第１の方向と反対の第２の方向の２つのウェールと１つのコースを対角線に横断するステッチシフトであって、縦糸の前記第１の組のすべての第１のターニングステッチは同じウェール内にあり、縦糸の前記第１の組のすべての第２のターニングステッチは同じウェール内にある、ステッチシフトと、を含んでおり、
縦糸の前記第２の組は繰り返しパターンを有し、この繰り返しパターンは、
第１のターニングステッチと、
前記第２の方向の２つのウェールと１つのコースを対角線に横断するステッチシフトと、
第２のターニングステッチと、
前記第１の方向の２つのウェールと１つのコースを対角線に横断するステッチシフトであって、縦糸の前記第２の組のすべての第１のターニングステッチは同じウェール内にあり、縦糸の前記第２の組のすべての第２のターニングステッチは同じウェール内にある、ステッチシフトとを含んでおり、
縦糸の前記第１の組の前記第１のターニングステッチは、縦糸の前記第２の組の前記第１のターニングステッチと同じコース内にあり、縦糸の前記第１の組の前記第２のターニングステッチは、縦糸の前記第２の組の前記第２のターニングステッチと同じコース内にある請求項１に記載のタイヤ。
【請求項６】
前記編み生地は、ダブルコードステッチ編み生地である請求項５に記載のタイヤ。
【請求項７】
前記編み生地は、前記生地の前記横糸方向にレイイン横挿入糸をさらに含む請求項１に記載のタイヤ。
【請求項８】
前記編み生地は、チェーンステッチ構成の縦糸の第３の組をさらに含む請求項１に記載のタイヤ。
【請求項９】
前記編み生地は、縦糸の第３の組をさらに含み、縦糸の前記第３の組は、前記生地の縦糸方向にレイイン縦挿入糸である請求項１に記載のタイヤ。
【請求項１０】
前記編み生地は、チッパ、フリッパ、およびチェーファからなる群から選択されるタイヤ生地である請求項１に記載のタイヤ。
【請求項１１】
縦糸の前記第１の組は繰り返しパターンを有し、野の繰り返しパターンは、
第１の閉ループターニングステッチと、
前記第１の方向の１つのウェールと１つのコースを対角線に横断するステッチシフトと、
開ループステッチと、
前記第１の方向の１つのコース毎に１つのウェールを対角線に横断するステッチシフトと、
第２の閉ループターニングステッチと、
前記第２の方向の１つのコース毎に１つのウェールを対角線に横断するステッチシフトと、
開ループステッチと、
前記第２の方向の１つのコース毎に１つのウェールを対角線に横断するステッチシフトと、を含んでおり、
縦糸の前記第２の組は繰り返しパターンを有し、この繰り返しパターンは、
第１の閉ループターニングステッチと、
前記第２の方向の１つのウェールと１つのコースを対角線に横断するステッチシフトと、
開ループステッチと、
前記第２の方向の１つのコース毎に１つのウェールを対角線に横断するステッチシフトと、
第２の閉ループターニングステッチと、
前記第１の方向の１つのコース毎に１つのウェールを対角線に横断するステッチシフトと、
開ループステッチと、
前記第１の方向の１つのコース毎に１つのウェールを対角線に横断するステッチシフトと、を含む請求項２に記載のタイヤ。
【請求項１２】
前記編み生地は、第１の面と第２の面とを有し、前記編み生地は、生地の前記第１および第２の面のうちの少なくとも一方に接着層を含む請求項１に記載のタイヤ。
【請求項１３】
前記編み生地は、前記接着層コーティングの一部の上に載る粘着層をさらに含む請求項１２に記載のタイヤ。
【請求項１４】
前記粘着層の前記コーティングは、パターンになっている請求項１３に記載のタイヤ。
【請求項１５】
タイヤを作製する方法であって、
第１の面と第２の面とを有する管形状編み生地を編むことと、
前記管状編み生地を少なくとも前記第１または第２の面上で接着層によりコーティングすることと、
前記管状編み生地をスリッティングして平坦な編み生地を形成することと、
適宜、粘着層を前記接着層の少なくとも一部の上に載る前記平坦な編み生地に施すことと、
前記編み生地をグリーンタイヤのサイドウォール領域に施すことと、
前記グリーンタイヤを拡大して硬化させることと、を含む方法。
【請求項１６】
前記編み生地は、チッパ、フリッパ、およびチェーファからなる群から選択されるタイヤ生地である請求項１５に記載の方法。
【請求項１７】
前記編み生地は、縦糸および横糸方向を有し、縦糸の第１の組および縦糸の第２の組を含み、
縦糸の前記第１の組は繰り返しパターンを有し、この繰り返しパターンは、
第１のターニングステッチと、
第１の方向の少なくとも１つのコース毎に少なくとも１つのウェールを対角線に横断するステッチシフトと、
前記第１の方向のステッチおよび少なくとも１つのコース毎に少なくとも１つのウェールを対角線に横断するステッチシフトの少なくとも１つの組と、
第２のターニングステッチと、
前記第１の方向と反対の第２の方向に少なくとも１つのコース毎に少なくとも１つのウェールを対角線に横断するステッチシフトと、
前記第２の方向のステッチおよび少なくとも１つのコース毎に少なくとも１つのウェールを対角線に横断するステッチシフトの少なくとも１つの組と、を含んでおり、
縦糸の前記第２の組は繰り返しパターンを有し、この繰り返しパターンは、
第１のターニングステッチと、
前記第２の方向の少なくとも１つのコース毎に少なくとも１つのウェールを対角線に横断するステッチシフトと、
前記第２の方向のステッチおよび少なくとも１つのコース毎に少なくとも１つのウェールを対角線に横断するステッチシフトの少なくとも１つの組と、
第２のターニングステッチと、
前記第１の方向の少なくとも１つのコース毎に少なくとも１つのウェールを対角線に横断するステッチシフトと、
前記第１の方向のステッチおよび少なくとも１つのコース毎に少なくとも１つのウェールを対角線に横断するステッチシフトの少なくとも１つの組と、を含んでおり、
縦糸の前記第１の組の前記繰り返しパターンの前記ステッチシフトは、縦糸の前記第２の組の前記繰り返しパターンの前記ステッチシフトの鏡像である請求項１５に記載の方法。 
【請求項１８】
前記編み生地は、逆アトラスタイプの生地である請求項１５に記載の方法。
【請求項１９】
前記編み生地は、縦糸および横糸方向を有し、縦糸の第１の組および縦糸の第２の組を含み、
縦糸の前記第１の組は繰り返しパターンを有し、この繰り返しパターンは、
第１のターニングステッチと、
第１の方向の２つのウェールと１つのコースを対角線に横断するステッチシフトと、
第２のターニングステッチと、
前記第１の方向と反対の第２の方向の２つのウェールと１つのコースを対角線に横断するステッチシフトであって、縦糸の前記第１の組のすべての第１のターニングステッチは同じウェール内にあり、縦糸の前記第１の組のすべての第２のターニングステッチは同じウェール内にある、ステッチシフトと、を含んでおり、
縦糸の前記第２の組は繰り返しパターンを有し、この繰り返しパターンは、
第１のターニングステッチと、
前記第２の方向の２つのウェールと１つのコースを対角線に横断するステッチシフトと、
第２のターニングステッチと、
前記第１の方向の２つのウェールと１つのコースを対角線に横断するステッチシフトであって、縦糸の前記第２の組のすべての第１のターニングステッチは同じウェール内にあり、縦糸の前記第２の組のすべての第２のターニングステッチは同じウェール内にある、ステッチシフトと、を含んでおり、
縦糸の前記第１の組の前記第１のターニングステッチは、縦糸の前記第２の組の前記第１のターニングステッチと同じコース内にあり、縦糸の前記第１の組の前記第２のターニングステッチは、縦糸の前記第２の組の前記第２のターニングステッチと同じコース内にある請求項１５に記載の方法。
【請求項２０】
前記編み生地は、ダブルコードステッチ編み生地である請求項１５に記載の方法。
【請求項２１】
ゴムの中に少なくとも部分的に埋め込まれている編み生地の少なくとも１つの層を含む生地補強ゴム製品であって、前記編み生地は、縦糸および横糸方向を有し、縦糸の第１の組および縦糸の第２の組を含み、
縦糸の前記第１の組は繰り返しパターンを有し、この繰り返しパターンは、
第１のターニングステッチと、
第１の方向の少なくとも１つのコース毎に少なくとも１つのウェールを対角線に横断するステッチシフトと、
第２のターニングステッチと、
前記第１の方向と反対の第２の方向に少なくとも１つのコース毎に少なくとも１つのウェールを対角線に横断するステッチシフトと、を含んでおり、
縦糸の前記第２の組は繰り返しパターンを有し、この繰り返しパターンは、
第１のターニングステッチと、
前記第２の方向の少なくとも１つのコース毎に少なくとも１つのウェールを対角線に横断するステッチシフトと、
第２のターニングステッチと、
前記第１の方向の少なくとも１つのコース毎に少なくとも１つのウェールを対角線に横断するステッチシフトと、を含んでおり、
縦糸の前記第１の組の前記繰り返しパターンの前記ステッチシフトは、縦糸の前記第２の組の前記繰り返しパターンの前記ステッチシフトの鏡像である生地補強ゴム製品。
【請求項２２】
前記編み生地は、縦糸および横糸方向を有し、縦糸の第１の組および縦糸の第２の組を含み、
縦糸の前記第１の組は繰り返しパターンを有し、この繰り返しパターンは、
第１のターニングステッチと、
第１の方向の少なくとも１つのコース毎に少なくとも１つのウェールを対角線に横断するステッチシフトと、
前記第１の方向のステッチおよび少なくとも１つのコース毎に少なくとも１つのウェールを対角線に横断するステッチシフトと、
第２のターニングステッチと、
前記第１の方向と反対の第２の方向に少なくとも１つのコース毎に少なくとも１つのウェールを対角線に横断するステッチシフトと、
前記第２の方向のステッチおよび少なくとも１つのコース毎に少なくとも１つのウェールを対角線に横断するステッチシフトの少なくとも１つの組と、を含んでおり、
縦糸の前記第２の組は繰り返しパターンを有し、この繰り返しパターンは、
第１のターニングステッチと、
前記第２の方向の少なくとも１つのコース毎に少なくとも１つのウェールを対角線に横断するステッチシフトと、
前記第２の方向のステッチおよび少なくとも１つのコース毎に少なくとも１つのウェールを対角線に横断するステッチシフトの少なくとも１つの組と、
第２のターニングステッチと、
前記第１の方向の少なくとも１つのコース毎に少なくとも１つのウェールを対角線に横断するステッチシフトと、
前記第１の方向のステッチおよび少なくとも１つのコース毎に少なくとも１つのウェールを対角線に横断するステッチシフトと、を含んでおり、
縦糸の前記第１の組の前記繰り返しパターンの前記ステッチシフトは、縦糸の前記第２の組の前記繰り返しパターンの前記ステッチシフトの鏡像である請求項２１に記載の生地補強ゴム製品。
【請求項２３】
前記編み生地は、逆アトラスタイプの生地である請求項２１に記載の生地補強ゴム製品。
【請求項２４】
前記編み生地は、縦糸および横糸方向を有し、縦糸の第１の組および縦糸の第２の組を含み、
縦糸の前記第１の組は繰り返しパターンを有し、この繰り返しパターンは、
第１のターニングステッチと、
第１の方向の２つのウェールと１つのコースを対角線に横断するステッチシフトと、
第２のターニングステッチと、
前記第１の方向と反対の第２の方向の２つのウェールと１つのコースを対角線に横断するステッチシフトであって、縦糸の前記第１の組のすべての第１のターニングステッチは同じウェール内にあり、縦糸の前記第１の組のすべての第２のターニングステッチは同じウェール内にある、ステッチシフトとを含んでおり、
縦糸の前記第２の組は繰り返しパターンを有し、この繰り返しパターンは、
第１のターニングステッチと、
前記第２の方向の２つのウェールと１つのコースを対角線に横断するステッチシフトと、
第２のターニングステッチと、
前記第１の方向の２つのウェールと１つのコースを対角線に横断するステッチシフトであって、縦糸の前記第２の組のすべての第１のターニングステッチは同じウェール内にあり、縦糸の前記第２の組のすべての第２のターニングステッチは同じウェール内にある、ステッチシフトとを含んでおり、
縦糸の前記第１の組の前記第１のターニングステッチは、縦糸の前記第２の組の前記第１のターニングステッチと同じコース内にあり、縦糸の前記第１の組の前記第２のターニングステッチは、縦糸の前記第２の組の前記第２のターニングステッチと同じコース内にある請求項２１に記載の生地補強ゴム製品。
【請求項２５】
前記編み生地は、ダブルコードステッチ編み生地である請求項２１に記載の生地補強ゴム製品。
【発明の詳細な説明】
【技術分野】
【０００１】
本開示は、一般的には、タイヤで使用するための編み生地（knit fabrics）に関し、詳細には、タイヤのサイドウォール領域に編み生地を使ったプライタイヤの作製に関する。
【背景技術】
【０００２】
ある種の車両、例えば、トラック、大型機器、および高性能自動車は、サイドウォール領域に付加的補強を有するタイヤを必要とする。製造時のタイヤ（および他のゴム補強品）のリフトアップの際の引き伸ばしを許容する十分な伸張性を有し、優れた補強能力を備える生地が必要とされている。
【発明の概要】
【０００３】
一対のビード、タイヤのサイドウォール領域とタイヤのトレッド領域との対を形成する一方のビードから他方のビードへ延在する少なくとも１つのカーカスプライ、およびタイヤのサイドウォール領域内の編み生地の少なくとも１つの層を含むタイヤ。生地およびタイヤを作製する方法も開示される。
【図面の簡単な説明】
【０００４】
そこで、本発明の一態様が、添付図面を参照しつつ、例を用いて説明される。
【図１】図１は、空気入りラジアルタイヤの部分切欠図である。
【図２】図２は、アトラス編み生地の一態様の顕微鏡写真である。
【図３】図３は、アトラス編み生地の一態様の顕微鏡写真である。図３は、図２よりも高い倍率である。
【図４Ａ】図４Ａは、アトラス編み生地である編み生地の一態様に対する糸パターンを示す。
【図４Ｂ】図４Ｂは、図４Ａのラッピング図（lapping diagram）のチェーン表記（chain notation）である。
【図５Ａ】図５Ａは、アトラス編み生地である編み生地の別の態様に対する糸パターンを示す。
【図５Ｂ】図５Ｂは、図５Ａのラッピング図のチェーン表記である。
【図６Ａ】図６Ａは、アトラス編み生地である編み生地の別の態様に対する糸パターンを示す。
【図６Ｂ】図６Ｂは、図６Ａのラッピング図のチェーン表記である。
【図７】図７は、編み生地において使用するための代替的糸パターンを示す。
【図８】図８は、編み生地において使用するための代替的糸パターンを示す。
【図９】図９は、編み生地において使用するための代替的糸パターンを示す。
【図１０】図１０は、編み生地において使用するための代替的糸パターンを示す。
【図１１】図１１は、編み生地において使用するための代替的糸パターンを示す。
【図１２】図１２は、編み生地において使用するための代替的糸パターンを示す。
【図１３】図１３は、編み生地において使用するための代替的糸パターンを示す。
【図１４】図１４は、編み生地において使用するための代替的糸パターンを示す。
【図１５】図１５は、編み生地において使用するための代替的糸パターンを示す。
【図１６】図１６は、編み生地において使用するための代替的糸パターンを示す。
【図１７】図１７は、編み生地において使用するための代替的糸パターンを示す。
【図１８】図１８は、編み生地において使用するための代替的糸パターンを示す。
【図１９Ａ】図１９Ａは、チェーンステッチにおいて縦糸の追加の組を有する編み生地の追加の態様に対する糸パターンを示す。
【図１９Ｂ】図１９Ｂは、チェーンステッチにおいて縦糸の追加の組を有する編み生地の追加の態様に対する糸パターンを示す。
【図２０Ａ】図２０Ａは、レイイン横糸（laid-in weft yarn）を有する編み生地の一態様に対する糸パターンを示す。
【図２０Ｂ】図２０Ｂは、レイイン横糸（laid-in weft yarn）を有する編み生地の一態様に対する糸パターンを示す。
【図２１】図２１は、レイイン縦糸を有する編み生地の一態様に対する糸パターンを示す。
【図２２】図２２は、不連続ドットパターンの接着層の上の生地の表面上に粘着層を有するパターンをコーティングされた編み生地の上面概略図である。
【図２３】図２３は、ランダム領域の不連続パターンの接着層の上の生地の表面上に粘着層を有するパターンをコーティングされた編み生地の上面概略図である。
【図２４】図２４は、グリッドパターンの接着層の上の生地の表面上に粘着層を有するパターンをコーティングされた編み生地の上面概略図である。
【図２５】図２５は、一連の平行線のパターンの接着層の上の生地の表面上に粘着層を有するパターンをコーティングされた編み生地の上面概略図である。
【図２６】図２６Ａ  図２６Ｂは、接着層の上の生地の表面上に不連続パターンを有する粘着層を示す編み生地の側面概略図である。
【図２７】図２７は、コーティングされた編み生地がゴムの中に埋め込まれている、接着層の上の生地の表面上に不連続パターンを有する粘着層を示す編み生地の側面概略図である。
【図２８】図２８は、生地全面にわたって密度が変化するドットのパターンの接着層の上の生地の表面上に粘着層を有するパターンをコーティングされた編み生地の上面概略図である。
【図２９】
【図３０】
【図３１】
【図３２】
【図３３】
【図３４】
【図３５Ａ】
【図３５Ｂ】
【図３６】
【図３７】
【発明を実施するための形態】
【０００５】
「エイペックス」は、ビードコアより上に半径方向に位置決めされた補強または非補強エラストマーを意味する。
【０００６】
「軸方向の、軸上の」および「軸方向に、軸上で」は、タイヤの回転軸に平行な線または方向を意味する。
【０００７】
「ビード」は、プライコードに包まれ、他の補強要素、例えば、フリッパ、チッパ、エイペックス、トウガード、およびチェーファありで、またはなしで、設計リムに適合するように成形された環状伸張性部材を含むタイヤのその部分を意味する。
【０００８】
「カットベルトまたはカットブレーカ補強構造」は、トレッドの下にあり、ビードへのアンカーを外されており（unanchored to the bead）、タイヤの赤道面に関して１０度〜４５度の範囲内の左および右のコード角度を有する、平行なコードのプライの少なくとも２つのカット層を意味する。
【０００９】
「バイアスプライタイヤ」は、カーカスプライ内の補強コードがタイヤの赤道面に関して約２５°〜５０°でビードコアからビードコアにタイヤを対角線方向に横切って延在するカーカスを有するタイヤを意味する。コードは、互層内を対角をなして走る。 
「キャッププライ」は、タイヤのトレッド部分の下に配置された、補強構造、典型的には織物または編み生地を意味する。
【００１０】
「円周」は、軸方向に垂直な円環状トレッドの表面の周にそって延在する線または方向を意味する。
【００１１】
「チェーファ」は、コードプライをリムから保護し、屈曲をリムより上に分配し、タイヤを封止するためビードの外側の周りに置かれた材料の幅の狭い帯状片を指す。
【００１２】
「チッパ」は、ビード領域に配置された生地またはスチール製のコードの幅の狭い帯状部を指し、その機能は、ビード領域を補強し、サイドウォールの半径方向の最も内側の部分を安定させることである。
【００１３】
「コード」は、タイヤ内のプライを構成する補強ストランドのうちの１本を意味する。 
「フリッパ」は、ビードコアおよびエイペックスの周りに巻き付けられる補強用生地を意味する。
【００１４】
「プライ」は、ゴムがコーティングされた平行なコードの連続層を意味する。
【００１５】
「半径方向の」および「半径方向に」は、半径方向でタイヤの回転軸に向かうか、または遠ざかる方向を意味する。
【００１６】
「ラジアルプライタイヤ」は、ビードからビードに延在するプライコードがタイヤの赤道面に関して６５°〜９０°のコード角度に配置されるベルテッドまたは円周制限空気入りタイヤ（belted or circumferentially-restricted pneumatic tire）を意味する。
【００１７】
「ターンアップエンド部」は、プライが巻き付けられるビードから上方に（つまり、半径方向外向きに）回転するカーカスプライの部分を意味する。
【００１８】
次に図１を参照すると、ビード１０７からトレッド１０５に延在するサイドウォール１０３を含む、タイヤ１００が図示されている。タイヤ１００は、トレッド１０５で覆われたカーカス２００を含む。図1では、タイヤ１００は、ラジアルタイヤであるが、本発明は、ラジアルタイヤに限定されず、他のタイヤ構造でも使用することができる。カーカス２００は、金属ビード１０７内のタイヤの内周で終端するタイヤコード２１０の１つ以上のプライから形成され、少なくとも１つのブレーカ２３０がトレッド１０５の領域内のタイヤコード２１０の周りの円周上に配置される。図１に示されているタイヤにおいて、カーカス２００は、補強コード２１０がタイヤ１００の意図された回転方向Ｒの実質的に半径方向に走っているように作製される。ブレーカ２３０は、タイヤの意図された回転方向Ｒに、またはさらに普通のことであるが、それに対してわずかな角度をなして走る比較的伸張性のない縦糸材料２３１、例えば、スチール製コード補強縦糸を用いて形成される。伸張性のない縦糸材料２３１の角度は、作製または適用方法により異なることがある。ブレーカ２３０は、トレッド１０５がサイドウォール１０３と出会うタイヤ１００の領域内のエッジ２３２内で終端するタイヤのトレッド１０５の幅にわたって延在する。いくつかのタイヤ構造において、キャッププライ層は、ブレーカ２３０とトレッド１０５との間に配置される。
【００１９】
ビード１０７の上に、ビードエイペックス４１０があり、少なくとも部分的にビード１０７およびエイペックス４１０を囲んでいるのが、フリッパ４２０である。フリッパ４２０は、ビード１０７の周りに、ターンアップエンド部４３０の一部分の内側に向けて配設された生地層である。チッパ４４０は、ビード１０７の周りに巻き付けられているプライ４３０の部分に隣接して配設される。より具体的には、チッパ４４０は、プライの一部分、フリッパ４２０から「ターンアップエンド部」４３０の反対側に配設される。サイドウォールは、他の図示されていない生地層、例えば、チェーファ生地、トウプロテクタ生地、またはビードの周りに巻き付けられた生地も含んでいてよく、これらはビードからサイドウォールの側部の上に延在するか、トレッドからサイドウォールの下に延在するか、ショルダー領域内にあるか、またはサイドウォールを完全に覆う。ビードとトレッドとの間に延在する生地は、本明細書では「サイドウォール生地」と定義される。これは、生地の少なくとも一部がビードとトレッドとの間に配置されている限り、ビードの周りでタイヤの内側、例えばフリッパ生地にさらに延在する生地を含む。
【００２０】
タイヤは、典型的にはマンドレル上に作製され、次いで、膨らまされ、拡大して、三次元のタイヤ形状を形成する。サイドウォール生地は、伸長してこの拡大および成形に対応できなければならない。典型的には、バイアス生地は、あるレベルの伸長に適応できるので使用される。
【００２１】
サイドウォール生地は、編み生地である。好ましくは、編み生地は、複数の方向に伸張能力を有するネット編み生地の一種である。一態様では、編み生地は、アトラス生地である。アトラス編み生地は、複数の方向に良好な伸長能力を備え、これにより製造時に膨脹を受ける物品、例えばタイヤに適する。図２および図３は、アトラス編み生地の一態様の画像を示す。図３は、図２よりも高い倍率で撮られた。編みパターンは、対角線方向に糸をシフトする複数のパターンを有する。このようなパターンは、「ネット」を形成し、生地５００に伸長能力を付与する。別の態様では、サイドウォール生地は、好ましくは、ダブルコードステッチ編み生地と称される複数の方向に伸長能力を有するネット編み生地の一種である。ダブルコードステッチ編み生地は、複数の方向に良好な伸長能力を備え、これにより製造時に膨脹を受ける物品、例えばタイヤに適する。
【００２２】
タイヤのサイドウォール領域は、編み生地の少なくとも１つの層を含む。別の態様では、タイヤのサイドウォール領域は、編み生地の少なくとも２つの層を含む。編み生地は、互いに重なるか、またはサイドウォールの離散断面内に配置されていてもよい。一態様では、チェーファは、保護能力を高めるために編み生地の２つの層を含んでいてもよい。別の態様では、編み生地は、クリッパーとフリッパの両方に使用されてもよい。サイドウォール領域内に編み生地の複数の層がある態様では、好ましくは層の少なくとも1つは、アトラス編み生地またはダブルコードステッチ編み生地である。
【００２３】
編み生地は、他の好適な補強ゴム製品、例えば、ホース、ベルト、およびプリンタブランケットで使用されてもよい。補強ゴム製品がホースである場合、最も広く行き渡っている、最も好適な従来のホースの１つはいわゆる「メッシュ補強」タイプのものであり、管状補強生地は、可撓性ホース上に螺旋状に巻かれた糸で構成され、糸の２つの組を形成する。第１のものは平行で等距離の列の中にあり、ダイヤモンド形のセルで生地の「メッシュ」を形成するためにホースの管状本体部の軸に関して対称的に配置されている同様の平行で、等距離の線にそって等しい数の横糸上に重ね合わされる。編み生地は、ホース内で生地として使用されてよい。典型的には、ゴムまたはプラスチックの内層は生地によって覆われ、その後、ゴムまたはプラスチックの外層によって覆われる。一態様では、補強生地は、ホースの管状本体部の周りで螺旋状に巻かれた構成で配置構成される。
【００２４】
いくつかの他の生地補強ゴム製品は、プリンタブランケットおよび伝導ベルトを含む。オフセット印刷では、印刷用ブランケットの通常の機能は、インクを印刷プレートから物品、例えば、印刷される用紙に印刷用インクを転写することであり、これにより、印刷用ブランケットが関連する印刷プレートおよび印刷される用紙と繰り返し接触する。プリンタブランケットは、典型的には、ゴム内に埋め込まれた生地を含む。伝動ベルトおよび他の種類のベルトも、生地補強ゴムを含む。
【００２５】
編み生地は、好適な様式およびパターンで編むことができる。編むことは、他糸ルーピングまたはステッチングで糸をループの縦方向の段（ウェール）および横方向の列（コース）にして編み生地構造を形成することを伴う。縦編みでは、ループは、織物の長さにそって、つまり、織物のウェールまたは縦方向に形成される。管状織物、例えば、円形編み生地については、管状織物の軸または縦方向に延在するステッチは、コースと呼ばれ、管状織物の円周にそって延在するステッチは、ウェールと呼ばれる。好ましくは、編み生地が編まれて、ネット生地を形成する。
【００２６】
編み生地は、開ループおよび／または閉ループを含んでいてよい。本明細書で使用されているように、開ループは、ループを形成する際に表または裏糸が自己交差しない場合の他糸レーシングを指す。また、本明細書で使用されているように、閉ループは、ループを形成する際に表または裏糸が自己交差する場合の他糸レーシングを指す。一態様において、編み生地は、開ループ構造物であり、ターニングステッチの間のステッチが開いていることを意味する。この構造物は、時には好ましいが、それは、最軽量の最も開いている編み生地を作製することができるからである。別の態様において、編み生地は、閉ループ構造物であり、ターニングステッチの間のステッチが閉じていることを意味する。一態様では、編み生地のターニングステッチ（第１と第２）は閉である。別の態様では、編み生地のターニングステッチ（第１と第２）は開である。別の態様では、編み生地内のターニングステッチは、開と閉の混合であってもよい。編み生地の一態様では、ステッチ間の移動は、アンダーラップ移動であり、他の態様では、ステッチ間の移動は、オーバーラップ移動である。
【００２７】
第1の態様では、編み生地は、アトラスタイプのステッチパターンである。この態様では、編み生地は、少なくとも、縦糸の第１の組および縦糸の第２の組を含む。縦糸の第１の組は（複数回繰り返してよいパターンの組の部分をより明確に示すために角括弧が加えられている）：
第１のターニングステッチと、
第１の方向の少なくとも１つのコース毎に少なくとも１つのウェールを対角線に横断するステッチシフトと、
第１の方向の［ステッチおよび少なくとも１つのコース毎に少なくとも１つのウェールを対角線に横断するステッチシフト］の少なくとも１つの組と、
第２のターニングステッチと、
第１の方向と反対の第２の方向に少なくとも１つのコース毎に少なくとも１つのウェールを対角線に横断するステッチシフトと、
第２の方向の［ステッチおよび少なくとも１つのコース毎に少なくとも１つのウェールを対角線に横断するステッチシフト］の少なくとも１つの組とを含む繰り返しパターンを有する。
【００２８】
縦糸の第２の組は：
第１のターニングステッチと、
第２の方向の少なくとも１つのコース毎に少なくとも１つのウェールを対角線に横断するステッチシフトと、
第２の方向の［ステッチおよび少なくとも１つのコース毎に少なくとも１つのウェールを対角線に横断するステッチシフト］の少なくとも１つの組と、
第２のターニングステッチと、
第１の方向の少なくとも１つのコース毎に少なくとも１つのウェールを対角線に横断するステッチシフトと、
第１の方向の［ステッチおよび少なくとも１つのコース毎に少なくとも１つのウェールを対角線に横断するステッチシフト］の少なくとも１つの組と、を含む繰り返しパターンを有する。
【００２９】
編み生地の縦糸は、限定はしないが、紡績糸、マルチフィラメント糸、および／またはモノフィラメント糸を含む好適な糸であってよく、ベルトプライ２３０を拘束する材料から形成される。本出願における「糸」は、本明細書で使用されているように、モノフィラメントの細長い本体部、マルチフィラメントの細長い本体部、リボン、帯状片、繊維、テープ、および同様のものを含む。糸という用語は、上記の１つまたは組み合わせの複数を含む。糸に適したいくつかの材料は、ポリアミド、アラミド（メタおよびパラ型を含む）、レーヨン、ＰＶＡ（ポリビニルアルコール）、ポリエステル、ポリオレフィン、ポリビニル、ナイロン（ナイロン６、ナイロン６，６、およびナイロン４，６を含む）、ポリエチレンナフタレート（ＰＥＮ）、綿、鋼鉄、カーボン、グラスファイバー、鋼鉄、ポリアクリルまたは他の好適な人工または天然繊維を含む。一態様では、糸は、好ましくはレーヨン、ポリエステル、またはナイロンである。
【００３０】
一態様では、糸は、前記の材料のいずれかで作られた単一のモノフィラメントまたはマルチフィラメント糸（ツイストおよび／またはケーブルコード）であってよく、ハイブリッド糸、またはフィルムテープ糸も含む。いくつかのタイヤ生地の一態様では、縦糸は、単一の、または複数の糸で作られた１００デシテックス（９０デニール）〜３，０００デシテックスであってよい（例えば、２３５デシテックス（シングルエンド）または１，４１０デシテックスに等しい２３５デシテックス×３×３のプライまたは９，９００デシテックスに等しい１，１００デシテックス×３×３（マルチエンド））。糸は、フラットであり、織り目加工され、および／または撚られていてよい。
【００３１】
一態様では、縦糸は、ハイブリッド糸であってよい。これらのハイブリッド糸は、異なる繊維材料（例えば、綿とナイロン）の少なくとも２本の繊維から作られる。これらの異なる繊維材料は、化学的および物理的特性が異なるハイブリッド糸を生み出すことができる。ハイブリッド糸は、これらが使用されている最終製品の物理的特性を変えることができる。いくつかの好ましいハイブリッド糸は、ナイロン繊維を伴うアラミド繊維、レーヨン繊維を伴うアラミド繊維、およびポリエステル繊維を伴うアラミド繊維を含む。
【００３２】
次に図４Ａを参照すると、アトラス編みである編み生地500の一態様のステッチングの図が示されている。編み生地５００は、縦糸方向５００ａおよび横糸方向５００ｂ、縦糸５１０の第１の組、および縦糸５２０の第２の組を有する。図４Ａに示されている編みにおいて、それぞれの縦糸５１０、５２０を編むプロセスは、同じ方向に連続して数回進み、次いで、反対方向に戻る。一態様では、縦糸５１０の第１の組の第１のターニングステッチのそれぞれは、同じウェール上にある。別の態様では、縦糸５１０の第１の組の第２のターニングステッチのそれぞれは、同じウェール上にある。一態様では、縦糸５２０の第２の組の第１のターニングステッチのそれぞれは、同じウェール上にある。別の態様では、縦糸５２０の第２の組の第２のターニングステッチのそれぞれは、同じウェール上にある。別の態様では、第１の縦糸の組の第１のターニングステッチと第２の縦糸の組の第１のターニングステッチは、同じコース上にある。図４Ｂは、図４Ａのラッピング図のチェーン表記である。
【００３３】
図４Ａのアトラス編み生地の縦糸５１０の第１の組は、パターンとして、
第１の閉ループターニングステッチと、
第１の方向の１つのウェールと１つのコースを対角線に横断するステッチシフトと、
開ループステッチと、
第１の方向の１つのコース毎に１つのウェールを対角線に横断するステッチシフトと、
第２の閉ループターニングステッチと、
第１の方向と反対の第２の方向の１つのコース毎に１つのウェールを対角線に横断するステッチシフトと、
開ループステッチと、
第２の方向の１つのコース毎に１つのウェールを対角線に横断するステッチシフトと、を含む。
【００３４】
図４Ａのアトラス編み生地の縦糸５２０の第２の組は、パターンとして、
第１の閉ループターニングステッチと、
第２の方向の１つのウェールと１つのコースを対角線に横断するステッチシフトと、
開ループステッチと、
第２の方向の１つのコース毎に１つのウェールを対角線に横断するステッチシフトと、
第２の閉ループターニングステッチと、
第１の方向の１つのコース毎に１つのウェールを対角線に横断するステッチシフトと、
開ループステッチと、
第１の方向の１つのコース毎に１つのウェールを対角線に横断するステッチシフトと、を含む。
【００３５】
図４Ａのラッピング図に示されている生地において、縦糸５２０の第２の組は、ステッチシフトの第１の方向および第２の方向が反転され、縦糸５２０の第２の組を第１の組に対する鏡像にする（また、縦糸５１０の第１の組からの１ウェール分オフセットされる）ことを除き、縦糸５１０の第１の組と同じステッチパターンを有する。編み生地を形成する２つの隣接する糸が同じ様式で進むが反転されているこのアトラス編みは、時には、逆アトラス編み（reverse atlas knit）と称される。図４Ａに示されているこの逆アトラス編みパターンは、図２および図３の顕微鏡写真の中の実際の生地に対応する。
【００３６】
縦糸５１０の第１の組および縦糸５２０の第２の組を有する編み生地５００の態様について、ターニングステッチは、同じウェール上でアライメント調整されてもされなくてもよい。一態様では、縦糸５１０の第１の組の第１のターニングステッチのそれぞれは、同じウェール上にある。別の態様では、縦糸５１０の第１の組の第２のターニングステッチのそれぞれは、同じウェール上にある。一態様では、縦糸５２０の第２の組の第１のターニングステッチのそれぞれは、同じウェール上にある。別の態様では、縦糸５２０の第２の組の第２のターニングステッチのそれぞれは、同じウェール上にある。一態様では、縦糸５１０の第１の組および縦糸５２０の第２の組の第１のターニングステッチのそれぞれは、同じウェール上にある。別の態様では、縦糸５１０の第１の組および縦糸５２０の第２の組の第２のターニングステッチのそれぞれは、同じウェール上にある。
【００３７】
図５Ａおよび図５Ｂは、可能なアトラス編み生地５００の別の態様を示す。図５Ｂは、図５Ａのラッピング図のチェーン表記である。
【００３８】
図５Ａのアトラス編み生地の縦糸５１０の第１の組は、パターンとして、
第１の閉ループターニングステッチと、
第１の方向の２つのウェールと１つのコースを対角線に横断するステッチシフトと、
開ループステッチと、
第１の方向の１つのコース毎に２つのウェールを対角線に横断するステッチシフトと、
第２の閉ループターニングステッチと、
第１の方向と反対の第２の方向の１つのコース毎に２つのウェールを対角線に横断するステッチシフトと、
開ループステッチと、
第２の方向の１つのコース毎に２つのウェールを対角線に横断するステッチシフトと、を含む。
【００３９】
図５Ａのアトラス編み生地の縦糸５２０の第２の組は、パターンとして、
第１の閉ループターニングステッチと、
第２の方向の２つのウェールと１つのコースを対角線に横断するステッチシフトと、
開ループステッチと、
第２の方向の１つのコース毎に２つのウェールを対角線に横断するステッチシフトと、
第２の閉ループターニングステッチと、
第１の方向の１つのコース毎に２つのウェールを対角線に横断するステッチシフトと、
開ループステッチと、
第１の方向の１つのコース毎に２つのウェールを対角線に横断するステッチシフトと、を含む。
【００４０】
図６Ａおよび図６Ｂは、可能なアトラス編み生地５００の別の態様を示す。図６Ｂは、図６Ａのラッピング図のチェーン表記である。
【００４１】
図６Ａのアトラス編み生地の縦糸５１０の第１の組は、パターンとして、
第１の閉ループターニングステッチと、
第１の方向の１つのウェールと１つのコースを対角線に横断するステッチシフトと、
開ループステッチと、
第１の方向の１つのコース毎に１つのウェールを対角線に横断するステッチシフトと、
第２の開ループステッチと、
第１の方向の１つのコース毎に１つのウェールを対角線に横断するステッチシフトと、
第２の閉ループターニングステッチと、
第１の方向と反対の第２の方向の１つのコース毎に１つのウェールを対角線に横断するステッチシフトと、
開ループステッチと、
第２の方向の１つのコース毎に１つのウェールを対角線に横断するステッチシフトと、
第２の開ループステッチと、
第２の方向の１つのコース毎に１つのウェールを対角線に横断するステッチシフトと、を含む。
【００４２】
図６Ａのアトラス編み生地の縦糸５２０の第２の組は、パターンとして、
第１の閉ループターニングステッチと、
第２の方向の１つのウェールと１つのコースを対角線に横断するステッチシフトと、
開ループステッチと、
第２の方向の１つのコース毎に１つのウェールを対角線に横断するステッチシフトと、
第２の開ループステッチと、
第２の方向の１つのコース毎に１つのウェールを対角線に横断するステッチシフトと、
第２の閉ループターニングステッチと、
第１の方向の１つのコース毎に１つのウェールを対角線に横断するステッチシフトと、
開ループステッチと、
第１の方向の１つのコース毎に１つのウェールを対角線に横断するステッチシフトと、
第２の開ループステッチと、
第１の方向の１つのコース毎に１つのウェールを対角線に横断するステッチシフトと、を含む。
【００４３】
図７〜図１８および図１９Ａおよび図１９Ｂは、編み生地で使用するための代替的繰り返しパターンがアトラス編み生地をもたらすことを示す。図示されているパターンは、縦糸の第１の組および／または縦糸の第２の組に対する単純な、逆の、または修正されたアトラスステッチで使用されてもよい。図７〜図１８および図１９Ａおよび図１９Ｂは、例にすぎず、他の好適な繰り返しパターンが使用されてもよい。図７〜図１８および図１９Ａおよび図１９Ｂは、例えば開ターニングステッチ、閉ターニングステッチ、開ループステッチ、閉ループステッチ、３列に広がるパターン、４列に広がるパターンを含むステッチパターンの分類を示す。
【００４４】
図示されている編みパターンのすべては図７〜図１８および図１９Ａおよび図１９Ｂにおいて対称的であり、これらのパターンがターニングステッチの周りの鏡像であることを意味しているが、繰り返しパターンは、例えば、１つのコース毎に２つのウェールを対角線に横断するステッチシフト、ループステッチ、１つのコース毎に１つのウェールを対角線に横断するステッチシフト、ターニングステッチ、１つのコース毎に２つのウェールを対角線に横断するステッチシフト、ループステッチ、および１つのコース毎に１つのウェールを対角線に横断するステッチシフトを含んでいてもよい。別の態様では、第１の縦糸５１０に対する繰り返しパターンは、第２の縦糸５２０と異なる。
【００４５】
図２０Ａに示されているような別の態様では、編み生地５００は、アトラスステッチパターンの縦糸５１０の第１の組、アトラスステッチパターンの縦糸５２０の第２の組、およびチェーンステッチパターンの縦糸５３０の第３の組（時にはピラーステッチとも称される）を含む。このチェーンステッチは、第１および／または第２の縦糸の組と同じ材料から形成されてもよいか、または非常に弱い、もしくは細い糸であってもよい。チェーンステッチの目的の１つは編み生地の取り扱いおよびその後コーティングをしやすくすることであるが、それは編み生地が開いているため取り扱いおよび運搬が難しくなることがありうるからである。図２０Ａでは、チェーンステッチは、２つおきのウェール上にある。チェーンステッチ５３０は、図２０Ｂに示されているようにウェール毎に、または好適な繰り返しパターン（例えば、１つおき、２つおき、３つおき、４つおき）であってもよい。一態様では、ウェール上のチェーンステッチの頻度は、生地の端から端までの間で変化する（例えば、生地の１つの部分はチェーンステッチをウェール毎に有していてもよく、別の部分はチェーンステッチを４つおきのウェール上に有していてもよく、これら２つの部分の間は頻度勾配または階段状変化となっていてもよい）。
【００４６】
一態様では、アトラス生地である編み生地５００は、横糸および／または縦糸方向に安定化する糸を含む。安定化する糸は、形成およびその後のプロセスにおいて生地に安定性を付与し、安定化する糸の方向の生地の伸長を制限する。安定化する糸が横糸方向である場合、生地は、縦糸方向で一方向の伸びを有することになる。安定化する糸が縦糸方向である場合、生地は、横糸方向で一方向の伸びを有することになる。一般に、横糸および縦糸方向の安定化する糸は、実質的に規則正しく配設されるであろう。しかし、特に生地の利用先および最終用途によっては、生地内のいくつかの場所で補強糸の数を増減することも企図されうる。安定化する糸は、アトラス編みを含む編みの態様のいずれかに加えられてもよい。
【００４７】
安定化する糸は、編み生地中の縦糸として使用するのに適している糸を含む好適な材料から作られてもよい。糸に適したいくつかの材料は、ポリアミド、アラミド（メタおよびパラ型を含む）、レーヨン、ＰＶＡ（ポリビニルアルコール）、ポリエステル、ポリオレフィン、ポリビニル、ナイロン（ナイロン６、ナイロン６，６、およびナイロン４，６を含む）、ポリエチレンナフタレート（ＰＥＮ）、綿、鋼鉄、カーボン、グラスファイバー、鋼鉄、ハイブリッド糸、ポリアクリルまたは他の好適な人工または天然繊維を含む。一態様では、安定化する糸は、好ましくはレーヨン、アラミド、またはナイロンである。ナイロンは、モノフィラメントまたはマルチフィラメントであってよい。
【００４８】
図２１は、安定化する横糸５４０がステッチの列の間のアトラス生地である編み生地５００内に挿入される一態様を示す。レイイン横挿入糸５４０は、ステッチの形成に加わることなく縦糸５１０、５２０のキャスト（casts）によって編み生地５００内の適所に保持される。一変更態様として、これは複数の、例えば、２つまたは３つの、安定化する糸をステッチのそれぞれの列の間の横糸方向に含む。横糸５４０は、図２１の１つおきのコース内に挿入されるけれども、好適な挿入パターンが使用されてもよく、例えば、ステッチの２つ、３つ、４つ、またはそれ以上の列から１つの列で配設されてもよい。
【００４９】
図２２は、安定化する縦糸５５０がアトラス生地である編み生地５００内に挿入される別の態様を示す。縦糸方向のレイイン縦挿入糸５５０はレイインされる、つまり、これらは、ステッチのそれぞれの段の間に、または一変更態様として、ステッチの２つ、３つ、４つ、またはそれ以上の段のうちの１つの段に配設されることを意味する。複数の、例えば、２本または３本の安定化する糸５５０をステッチのそれぞれの段またはステッチの２つ、３つ、４つ、またはそれ以上の段のうちの１つの段間に備えることも企図されうる。
【００５０】
別の態様では、編み生地は、ダブルコードステッチ編み生地であってもよい。ダブルコードステッチ編み生地５００である編み生地５００の一態様のステッチングパターンは、図２３に示されており、棒の移動は図２４に示されている。ダブルコードステッチ編み生地は、部品番号５００としてマークされており、好適な用途（例えば、サイドウォールタイヤ用途、プリンタブラケットなどのクリッパーまたはフリッパ生地）で使用されてよい。ダブルコードステッチ編み生地５００は、少なくとも、縦糸５１０の第１の組および縦糸５２０の第２の組を含む。縦糸５１０の第１の組は：
第１のターニングステッチと、
第１の方向の２つのウェールと１つのコースを対角線に横断するステッチシフトと、
第２のターニングステッチと、
第１の方向と反対の第２の方向の２つのウェールと１つのコースを対角線に横断するステッチシフトとを含む繰り返しパターンを有する。
【００５１】
縦糸５２０の第２の組は：
第１のターニングステッチと、
第２の方向の２つのウェールと１つのコースを対角線に横断するステッチシフトと、
第２のターニングステッチと、
第１の方向の２つのウェールと１つのコースを対角線に横断するステッチシフトとを含む繰り返しパターンを有する。
【００５２】
縦糸５１０の第１の組のそれぞれの第１のターニングステッチは、生地の同じウェール内にあり、縦糸５１０の第１の組の１つのおきのターニングステッチは、生地の同じウェール内にある。縦糸５２０の第２の組のそれぞれの第１のターニングステッチは、生地の同じウェール内にあり、縦糸５２０の第２の組の１つのおきのターニングステッチは、生地の同じウェール内にある。それに加えて、縦糸５１０の第１の組の第１のターニングステッチは、縦糸５２０の第２の組の第１のターニングステッチと同じコース内にあり、縦糸５１０の第１の組の第２のターニングステッチは、縦糸５２０の第２の組の第２のターニングステッチと同じコース内にある。
【００５３】
図２５および図２６は、ダブルコードステッチ編み生地である編み生地５００で使用するための代替的繰り返しパターンを示す。図示されているパターンは、縦糸５１０の第１の組および／または縦糸５２０の第２の組に使用されてもよい。図２５は、すべての開いているターニングステッチを有するコードステッチパターンを示しており、図２６は、すべての閉じられているターニングステッチを有するコードステッチパターンを示す。ステッチパターンは、閉じられたターニングステッチと開いているターニングステッチとの混合を含んでいてもよい。
【００５４】
図２７に示されているような別の態様では、ダブルコードステッチ編み生地５００は、コードステッチパターンの縦糸５１０の第１の組、コードステッチパターンの縦糸５２０の第２の組、およびチェーンステッチパターンの縦糸５３０の第３の組（時にはピラーステッチとも称される）を含む。このチェーンステッチは、第１および／または第２の縦糸の組と同じ材料から形成されてもよいか、または非常に弱い、もしくは細い糸であってもよい。チェーンステッチの目的の１つはダブルコードステッチ編み生地の取り扱いおよびその後コーティングをしやすくすることであるが、それはダブルコードステッチ編み生地が開いているため取り扱いおよび運搬が難しくなることがありうるからである。図２７では、チェーンステッチは、２つおきのウェール上にある。チェーンステッチ５３０は、図２８に示されているようにウェール毎に、または好適な繰り返しパターン（例えば、１つおき、２つおき、３つおき、４つおき）であってもよい。一態様では、ウェール上のチェーンステッチの頻度は、生地の端から端までの間で変化する（例えば、生地の１つの部分はチェーンステッチをウェール毎に有していてもよく、別の部分はチェーンステッチを４つおきのウェール上に有していてもよく、これら２つの部分の間は頻度勾配または階段状変化となっていてもよい）。
【００５５】
一態様では、ダブルコードステッチ編み生地５００は、横糸および／または縦糸方向に安定化する糸を含む。安定化する糸は、形成およびその後のプロセスにおいて生地に安定性を付与し、安定化する糸の方向の生地の伸長を制限する。安定化する糸が横糸方向である場合、生地は、縦糸方向で一方向の伸びを有することになる。安定化する糸が縦糸方向である場合、生地は、横糸方向で一方向の伸びを有することになる。一般に、横糸および縦糸方向の安定化する糸は、実質的に規則正しく配設されるであろう。しかし、特に生地の利用先および最終用途によっては、生地内のいくつかの場所で補強糸の数を増減することも企図されうる。安定化する糸に関する詳細については、本出願の前の段落を参照するとよい。
【００５６】
図２９は、安定化する横糸５４０がステッチの列の間のダブルコードステッチ編み生地５００内に挿入される一態様を示す。レイイン横挿入糸５４０は、ステッチの形成に加わることなく縦糸５１０、５２０のキャストによってダブルコードステッチ編み生地５００内の適所に保持される。一変更態様として、これは複数の、例えば、２つまたは３つの、安定化する糸をステッチのそれぞれの列の間の横糸方向に含む。横糸５４０は、図２９の１つおきのコース内に挿入されるけれども、好適な挿入パターンが使用されてもよく、例えば、ステッチの２つ、３つ、４つ、またはそれ以上の列から１つの列で配設されてもよい。
【００５７】
図３０は、安定化する縦糸５５０がダブルコードステッチ編み生地５００内に挿入される別の態様を示す。縦糸方向のレイイン縦挿入糸５５０はレイインされる、つまり、これらは、ステッチのそれぞれの段の間に、または一変更態様として、ステッチの２つ、３つ、４つ、またはそれ以上の段のうちの１つの段に配設されることを意味する。複数の、例えば、２本または３本の安定化する糸５５０をステッチのそれぞれの段またはステッチの２つ、３つ、４つ、またはそれ以上の段のうちの１つの段間に備えることも企図されうる。
【００５８】
ゴム製複合材料を作製する際によく問題になるのは、ゴムと補強生地との間の良好な接着を維持することである。ゴムと補強生地との間の接着を促進する従来の方法では、補強糸を典型的にはゴムラテックスとフェノールがほとんど常にレゾルシノールであるフェノールホルムアルデヒド縮合生成物との混合物から形成される接着層を前処理する。これは、いわゆる「ＲＦＬ」（レゾルシノールホルムアルデヒドラテックス）法である。レゾルシノールホルムアルデヒドラテックスは、ビニルピリジンラテックス、スチレンブタジエンラテックス、ワックス、賦形剤、および／または他の添加剤を含むことができる。本明細書で使用されている「接着層」は、ＲＦＬ化学物質および他の非ＲＦＬゴム接着化学物質を含む。
【００５９】
一態様では、接着化学物質は、ＲＦＬ化学物質ではない。一態様では、接着化学物質は、ホルムアルデヒドを含まない。一態様では、接着複合物質は、非架橋レゾシノールホルムアルデヒドおよび／またはレゾシノールフルフラール縮合生成物（または水溶性のフェノールホルムアルデヒド縮合生成物）、ゴムラテックス、およびアルデヒド成分、例えば２−フルフラルデヒドを含む。処理済みの織物基材とゴム材料との間の接着を改善するために、この複合物質が織物基材に施され、使用されてもよい。これらの化学物質に関する詳細については、２０１１年２月１７日に出願された米国出願第１３／０２９，２９３号を参照してもよく、これはここに組み込まれる。
【００６０】
編み生地５００（任意の態様）は、従来の方法により接着層でコーティングされてもよい。好ましくは、接着層は、レゾルシノールホルムアルデヒドラテックス（ＲＦＬ）層またはゴム接着層である。一般的に、接着層は、編み生地または糸（編み生地に形成する前の）を接着層溶液に浸すことによって施される。次いで、コーティングされた生地または糸は、絞りロールおよび乾燥機を通って、過剰な液体を除去する。接着層は、典型的には、１５０°〜２００℃の範囲内の温度で硬化される。接着層は、典型的には、編み生地の両面にあり、好ましくは、編み生地内の糸の利用可能なすべての、またはほぼすべての表面をコーティングする。
【００６１】
一態様では、生地は、接着層の上の編み生地の少なくとも一部の上に粘着層をさらに含む。粘着材料は、グリーンタイヤ、ホース、または他のゴム補強製品の製作プロセスにおいて、接着を円滑にするための粘着仕上げ材、またはグリーンタックを形成するのに使用される。粘着材料は、製造時に編み生地（接着層６０１を有する）とゴムとの間の接着を促進する働きをする。粘着仕上げ材に対する材料の選択は、補強されたゴム製品での使用に関して選択された材料に大きく依存する。従来技術では、生地表面全体が、ゴムのセメントコーティングで完全に覆われていたか、または異なる接着促進または粘着化学物質で完全に覆われていた。タイヤ製品では、過剰なゴムは走行中のタイヤからエネルギーを吸収し、早期の摩耗および不具合を引き起こすので層の間のゴムの量を低減することが望ましい。粘着材料の典型的な例は、レゾシノールホルムアルデヒドラテックス（ＲＦＬ）、イソシアネート系材料、エポキシ系材料、ゴム、ＰＶＣ、およびメラミンホルムアルデヒド樹脂系の材料を含む混合物を含む。
【００６２】
一態様では、粘着層は、連続、均一、または非パターン層である。粘着層は、編み生地の片面または両面にあってもよい。
【００６３】
別の態様では、粘着層は、編み生地上の接着層の上に載るパターンコーティングである。パターン粘着層は、接着層の上の編み生地の片面または両面にあってもよい。編み生地の第１の面および第２の面は、同じパターンまたは異なるパターンを含んでいてもよい。一態様では、粘着材料は、パターンコーティングで編み生地の第１の面（接着層の上の）に配置され、第2の面上では、粘着材料は連続的非パターンコーティングとして配置されてもよい。
【００６４】
粘着材料をパターンコーティングにすることで、覆われている接着層の表面積の量を最小にしながらグリーンタックを実現し、タイヤ、ホース、または他の生地補強ゴム製品内のゴムおよび粘着剤の量を最小にする。パターンコーティングは、連続的または不連続であり、規則正しく、繰り返し性を有するか、またはランダムであってもよい。本出願の「連続的」は、生地の一方の縁から他の縁へ、パターンコーティングを含む少なくとも１つの連続的経路があり、パターンコーティング領域の少なくとも一部は連結されていることを意味する。連続的コーティングの例は図３３および図３４を含む。本出願の「不連続」は、パターンコーティングされた領域が不連続であり、互いに接触していないことを意味する。不連続なパターンコーティングでは、パターンコーティングを含む生地の一方の縁から他方の縁への経路がない。不連続コーティングの例は図３１および図３２を含む。規則正しい、または繰り返しのパターンは、パターンがそれへの繰り返し構造を有することを意味する。図３１、図３３、および図３４は、繰り返しの、または規則正しいパターンを示す。図３２は、パターンコーティングへの繰り返しのないランダムパターンを示す。ランダムパターンでは、ランダムパターンは連続的でなく、不連続でもあることが好ましい。パターンコーティングは、生地に施されるものとして図示されているが、粘着材料のパターンコーティングは、生地形成の前の糸に施されてもよい。
【００６５】
図３１は、パターンコーティング６０２がドットパターンである態様を示す。このパターンは、不連続であり、繰り返し性を有する。ドットは、接着層６０１の上の編み生地５００上に均等な間隔で並べられるか、または、生地の表面の端から端までドットの異なる密度または頻度、ドットのサイジング、またはドットのサイズおよび／または形状を有していてもよい。図３２は、パターンコーティング６０２がランダムな不連続スポットパターンである態様を示す。図３３は、パターンコーティング６０２がグリッド内にある態様を示す。このパターンは、規則正しく、連続的である。図３４は、パターンコーティング６０２が一連の平行線となっている態様を示す。このパターンも、規則正しく、連続的である。パターンコーティング６０２は、限定はしないが、印、幾何学的形状またはパターン、およびテキストを含む他のパターン形態をとっていてもよい。
【００６６】
図３５Ａおよび図３５Ｂは、編み生地５００の片面（３５Ａ）、および接着層６０１の上に載る編み生地５００の両面（３５Ｂ）上のパターンコーティング６０２を示すコーティングされた編み生地の側面図を示す。パターンコーディング６０２は、（接着層６０１の上の）編み生地５００の両面上で同じ、または異なるパターンおよび被覆であってもよい。例えば、編み生地５００の片面は、表面積の１０％を覆う規則正しい繰り返しのグリッドパターンを有し、編み生地５００の他方の面は、表面の２５％を覆う不連続な繰り返しのドットパターンを有していてもよい。それぞれの表面パターンは、タイヤ生産プロセスおよび物品を最適化するように選択されてよい。図３６は、ゴム６５０内に埋め込まれているコーティングされた編み生地を示す。好ましくは、ゴム６５０は、編み生地５００を部分的にまたは完全に移動もしくは含浸させる。
【００６７】
一態様では、粘着材料のパターンコーティング６０２は、例えば編み生地内で縦糸が自己交差または相互交差する場合に、編み生地の交差点上にある。別の態様では、粘着材料のパターンコーティング６０２は、実質的に生地内の交差点にのみあり、編み生地５００の残り部分または編み生地のステッチの間の空間内にはない。これは、窓枠形成が生じることをなくすか、または減らすのに役立つものとしてよい（コーティングが生地の開いている領域内にフィルムを形成する場合）。
【００６８】
パターンコーティング６０２は、限定はしないが、インクジェット印刷、グラビア印刷、パターン印刷、熱転写、スプレーコーティング、およびシルク印刷を含むパターンコーティングを形成する公知の方法によって形成されてよい。パターンコーティング６０２の厚さおよび／または物理的組成は、コーティングされた編み生地の長さおよび／または幅にわたって変化してもよい。例えば、いくつかの態様では、生地のいくつかの領域内でより厚いコーティングまたはより高密度に詰め込まれたパターンを有することが好ましいものであってよい。これは、例えば、パターンコーティング層のドットパターンが編み生地の幅にわたって変化し、生地の縁においてパターンコーティングの量が多くなっている図３７に見られる。
【００６９】
一態様では、パターンコーティング６０２は、編み生地５００の表面積の約５〜９５％を覆う。他の態様では、パターンコーティングは、編み生地５００の表面積の約５〜７０％、１０〜６０％、４５〜７５％、１５％超、２０％超、および３０％超を覆うものとしてよい。別の態様では、パターンコーティング６０２は、編み生地５００の約５〜６０重量％の重量を有する。他の態様では、パターンコーティングは、編み生地５００の重量の約５〜５０％、１０〜５０％、１０〜４５％、１５〜３５％、１５％超、２０％超、および３０％超の重量を有する。
【００７０】
編み生地の形成は、生地に対する基本糸の購入から始まる。その後、糸が撚られて追加の機械的弾性を備えるようにしてよい。撚った後、編み生地（好ましくはアトラス編み生地）が好適な様式で形成されてよい。好ましくは、編み生地は、管状構造に編まれる。一態様では、編み生地を形成するためにレイチェル編みが使用される。生地形成の後、生地はスリッティングの前または後に接着層で仕上げられる。接着層は、生地に形成する前に糸に施されてもよい。好ましくは、接着層は、管状生地が形成される後、ただし生地が平坦な編み生地にスリッティングされる前に施される。接着層は、編み生地に安定性を付与するのに役立ち、また生地のスリッティングおよび取り扱いを容易にする。次に、オプションの粘着層が平坦な編み生地に施される。これは、パターン様式または無地であってよい。次いで、コーティングされた生地は、異なるサイドウォール生地用途に合わせて所望の特定の幅にスリッティングされる。接着層および／または粘着層に加えて、編み生地は、その代わりに、タイヤに組み込みやすくするためゴムでカレンダー加工されてもよい。
【００７１】
タイヤ形成は、典型的には、２つの段階からなり、第１の段階では、カーカス、ビードコンポーネント、およびサイドウォールが適所に入れられる。この段階では、すべてのビードおよびサイドウォールの補強（チッパ、フリッパ、およびチェーファ）も、カーカスに加えられる。この時点で、タイヤは拡大され、典型的なタイヤ形状をとる。このときに、編み生地は長くなり、その最終位置をとる。第2の段階では、拡大の後、ブレーカおよびトレッドコンパウンドも置かれる。この後、グリーンタイヤが完成し、成形できる状態になる。
【００７２】
［実施例１］
アトラストリコットステッチ３列パターンを備えるネット開口構造生地が、図４Ａに示されているパターンでレイチェルマシン（Rachel machine）上で生産された（図４Ｂはチェーン表記を示す）。使用したマシン（Ｅ１８ゲージマシン）は、７．５コース／ｃｍを生産するように（１８針／インチ）で構成された。第１の縦糸の組および第２の縦糸の組に使用された糸は、ＰＡ６６（ナイロン６，６）２３５ｄｔｅｘであった。使用されたアトラストリコットステッチ３列パターンは、２つの案内棒半ねじ切りを有していた（前案内棒のねじ切りは１イン、１アウトであり、案内棒２のねじ切りは１アウト、１インである）。２本の棒は反対方向に１本の隣接針のアンダーラップで動作した。ラッピングパターンは、棒１＝１．０／１．２／２．３／２．１／／、Ｂ２＝２．３／２．１／１．０／１．２／／（図４Ｂ参照）であった。生産された生地は、図２および図３に見ることができる。
【００７３】
［実施例２］
実施例２の生地は、実施例１と同じパターンで横糸挿入システムマシンを備えるレイチェル上で生産されたアトラストリコット３列パターンを有するネット開口構造生地であった。縦糸は、ＰＡ６６（ナイロン６，６）９４０ｄｔｅｘであり、また生地はレーヨン１２２０ｄｔｅｘの複数の横糸挿入糸を組み合わせた。
【００７４】
本明細書で引用されている公開、特許出願、および特許を含むすべての参照は、それぞれの参照が本明細書に参照により組み込まれるように個別に、具体的に指示され、全体が本明細書において述べられている場合と同じ程度で参照により本明細書に組み込まれている。
【００７５】
本発明を説明する文脈において「ａ」および「ａｎ」および「ｔｈｅ」および類似の指示対象を使用している場合（特に、請求項の文脈において）、本明細書において特に断りのない限り、または文脈上明確に矛盾していない限り、単数形と複数形の両方を含むものと解釈されるべきである。「含む」、「有する」、「含む（ｉｎｃｌｕｄｉｎｇ）」、および「含む（ｃｏｎｔａｉｎｉｎｇ）」という言葉は、断りのない限り、制約のない表現（つまり、「限定はしないが、．．．を含む」を意味する）と解釈されるべきである。本明細書の値の範囲の記載は、本明細書で断りのない限り、その範囲内に収まるそれぞれの個別の値を個々に参照する簡便法として使用されることを単に意図しており、それぞれの個別の値は、本明細書に個々に記載されているかのように本明細書に組み込まれる。本明細書に記載されているすべての方法は、本明細書に別に示されているか、または文脈と明らかに矛盾しない限りは、任意の適切な順序で行うことができる。本明細書に記載される任意のおよびすべての例、または例示的な言い回し（例えば、「例えば．．．」）の使用は、単に本発明をわかりやすくすることを意図しているだけであり、断りのない限り本発明の範囲に制限を課すことはしない。本明細書におけるどのような言い回しも、非請求要素を本発明の実施に本質的であるとして示すものとして解釈すべきではない。
【００７６】
本発明の好ましい態様は、本明細書において説明されており、本発明を実施するために発明者に知られている最良の態様を含む。これらの好ましい態様の変更態様は、上記の説明を読んだ後、当業者にとって明確になるものとしてよい。発明者は、当業者がこのような変更形態を適宜採用することを期待し、発明者は、本明細書で特に説明されているのと違う形で本発明が実施されることを意図している。したがって、本発明は、適用法により許されているとおりに付属の請求項に記載されている主題のすべての修正形態および同等の形態を含む。さらに、可能なすべての変更態様における上述の要素の任意の組み合わせは、本明細書に断りのない限り、または文脈上明らかに矛盾していない限り本発明により包含される。
【図１】
2014524378.tif 000003
【図２】
2014524378.tif 000004
【図３】
2014524378.tif 000005
【図４Ａ】
2014524378.tif 000006
【図４Ｂ】
2014524378.tif 000007
【図５Ａ】
2014524378.tif 000008
【図５Ｂ】
2014524378.tif 000009
【図６Ａ】
2014524378.tif 000010
【図６Ｂ】
2014524378.tif 000011
【図７】
2014524378.tif 000012
【図８】
2014524378.tif 000013
【図９】
2014524378.tif 000014
【図１０】
2014524378.tif 000015
【図１１】
2014524378.tif 000016
【図１２】
2014524378.tif 000017
【図１３】
2014524378.tif 000018
【図１４】
2014524378.tif 000019
【図１５】
2014524378.tif 000020
【図１６】
2014524378.tif 000021
【図１７】
2014524378.tif 000022
【図１８】
2014524378.tif 000023
【図１９Ａ】
2014524378.tif 000024
【図１９Ｂ】
2014524378.tif 000025
【図２０Ａ】
2014524378.tif 000026
【図２０Ｂ】
2014524378.tif 000027
【図２１】
2014524378.tif 000028
【図２２】
2014524378.tif 000029
【図２３】
2014524378.tif 000030
【図２４】
2014524378.tif 000031
【図２５】
2014524378.tif 000032
【図２６】
2014524378.tif 000033
【図２７】
2014524378.tif 000034
【図２８】
2014524378.tif 000035
【図２９】
2014524378.tif 000036
【図３０】
2014524378.tif 000037
【図３１】
2014524378.tif 000038
【図３２】
2014524378.tif 000039
【図３３】
2014524378.tif 000040
【図３４】
2014524378.tif 000041
【図３５Ａ】
2014524378.tif 000042
【図３５Ｂ】
2014524378.tif 000043
【図３６】
2014524378.tif 000044
【図３７】
2014524378.tif 000045
【手続補正書】
【提出日】平成26年7月23日(2014.7.23)
【手続補正１】
【補正対象書類名】明細書
【補正対象項目名】０００４
【補正方法】変更
【補正の内容】
【０００４】
【図１】図１は、空気入りラジアルタイヤの部分切欠図である。
【図２】図２は、アトラス編み生地の一態様の顕微鏡写真である。
【図３】図３は、アトラス編み生地の一態様の顕微鏡写真である。図３は、図２よりも高い倍率である。
【図４Ａ】図４Ａは、アトラス編み生地である編み生地の一態様に対する糸パターンを示す。
【図４Ｂ】図４Ｂは、図４Ａのラッピング図（lapping diagram）のチェーン表記（chain notation）である。
【図５Ａ】図５Ａは、アトラス編み生地である編み生地の別の態様に対する糸パターンを示す。
【図５Ｂ】図５Ｂは、図５Ａのラッピング図のチェーン表記である。
【図６Ａ】図６Ａは、アトラス編み生地である編み生地の別の態様に対する糸パターンを示す。
【図６Ｂ】図６Ｂは、図６Ａのラッピング図のチェーン表記である。
【図７】図７は、編み生地において使用するための代替的糸パターンを示す。
【図８】図８は、編み生地において使用するための代替的糸パターンを示す。
【図９】図９は、編み生地において使用するための代替的糸パターンを示す。
【図１０】図１０は、編み生地において使用するための代替的糸パターンを示す。
【図１１】図１１は、編み生地において使用するための代替的糸パターンを示す。
【図１２】図１２は、編み生地において使用するための代替的糸パターンを示す。
【図１３】図１３は、編み生地において使用するための代替的糸パターンを示す。
【図１４】図１４は、編み生地において使用するための代替的糸パターンを示す。
【図１５】図１５は、編み生地において使用するための代替的糸パターンを示す。
【図１６】図１６は、編み生地において使用するための代替的糸パターンを示す。
【図１７】図１７は、編み生地において使用するための代替的糸パターンを示す。
【図１８】図１８は、編み生地において使用するための代替的糸パターンを示す。
【図１９Ａ】図１９Ａは、アトラス編み生地に利用される別の繰り返しパターンを示す。
【図１９Ｂ】図１９Bは、アトラス編み生地に利用される別の繰り返しパターンを示す。
【図２０Ａ】図２０Ａは、チェーンステッチにおいて縦糸の追加の組を有する編み生地の追加の態様に対する糸パターンを示す。
【図２０Ｂ】図２０Ｂは、チェーンステッチにおいて縦糸の追加の組を有する編み生地の追加の態様に対する糸パターンを示す。
【図２１】図２１は、レイイン横糸（laid-in weft yarn）を有する編み生地の一態様に対する糸パターンを示す。
【図２２】図２２は、レイイン縦糸を有する編み生地の一態様に対する糸パターンを示す。
【図２３】図２３は、ダブルコードステッチ編み生地の一態様に対する糸パターンを示す。
【図２４】図２４は、図２のラッピング図（lapping diagram）のチェーン表記（chain notation）である。
【図２５】図２５は、ダブルコードステッチ編み生地の代替の糸パターンを示す。
【図２６】図２６は、ダブルコードステッチ編み生地の代替の糸パターンを示す。
【図２７】図２７は、チェーンステッチにおいて縦糸の追加の組を有するダブルコードステッチ編み生地の追加の態様に対する糸パターンを示す。
【図２８】図２８は、チェーンステッチにおいて縦糸の追加の組を有するダブルコードステッチ編み生地の追加の態様に対する糸パターンを示す。
【図２９】図２９は、レイイン横糸（laid-in weft yarn）を有するダブルコードステッチ編み生地の一態様に対する糸パターンを示す。
【図３０】図３０は、レイイン縦糸を有するダブルコードステッチ編み生地の一態様に対する糸パターンを示す。
【図３１】図３１は、不連続ドットパターンの接着層の上の生地の表面上に粘着層を有するパターンをコーティングされた編み生地の上面概略図である。
【図３２】図３２は、ランダム領域の不連続パターンの接着層の上の生地の表面上に粘着層を有するパターンをコーティングされた編み生地の上面概略図である。
【図３３】図３３は、グリッドパターンの接着層の上の生地の表面上に粘着層を有するパターンをコーティングされた編み生地の上面概略図である。 
【図３４】図３４は、一連の平行線のパターンの接着層の上の生地の表面上に粘着層を有するパターンをコーティングされた編み生地の上面概略図である。
【図３５Ａ】図３５Ａは、接着層の上の生地の表面上に不連続パターンを有する粘着層を示す編み生地の側面概略図である。
【図３５Ｂ】図３５Ｂは、接着層の上の生地の表面上に不連続パターンを有する粘着層を示す編み生地の側面概略図である。
【図３６】図３６は、コーティングされた編み生地がゴムの中に埋め込まれている、接着層の上の生地の表面上に不連続パターンを有する粘着層を示す編み生地の側面概略図である。
【図３７】図３７は、生地全面にわたって密度が変化するドットのパターンの接着層の上の生地の表面上に粘着層を有するパターンをコーティングされた編み生地の上面概略図である。
【国際調査報告】
2014524378.tif 000046
2014524378.tif 000047